(57)【要約】【課題】  冷媒配管および凝縮水排水管の車室外への取り出し位置における安定したシール性を確保することが容易な車両用空調装置を提供すること。【解決手段】  冷媒配管３０は、空調ケース１１内において蒸発器１３から下方に向かって延設され、フロアパネル２の開口２００から車室外に取り出される部位において排水管２０内に配置されている。したがって、冷媒配管３０と排水管２０とをフロアパネル２の共通の開口２００から車室外に取り出すことができ、排水管２０とフロアパネル２との間に設けたシールパッキン２５により、安定したシール性を確保することができる。【選択図】        図４
2006027314.tif 000002
【特許請求の範囲】
【請求項１】
車室（１）内に配置される空調ケース（１１）と、
前記空調ケース（１１）内に設けられ、前記空調ケース（１１）内を流通する空気を冷却する冷却用熱交換器（１３）と、
前記冷却用熱交換器（１３）に前記空気と熱交換する冷媒を車室外から導出入するための冷媒配管（３０）と、
前記空調ケース（１１）の前記冷却用熱交換器（１３）配設部位より下方に設けられ、前記冷却用熱交換器（１３）で生成した凝縮水を車室外に排出するための排水管（２０）とを備える車両用空調装置において、
前記冷媒配管（３０）は、前記冷却用熱交換器（１３）から下方に向かって延設され、前記車室（１）内と前記車室外とを隔離する隔壁（２）に対応する部位において前記排水管（２０）に隣接配置されていることを特徴とする車両用空調装置。
【請求項２】
前記冷媒配管（３０）は、前記隔壁（２）に対応する部位において前記排水管（２０）の内側に配置されていることを特徴とする請求項１に記載の車両用空調装置。
【請求項３】
前記排水管（２０）の内側に設けられ、前記冷却用熱交換器（１３）に導入される冷媒を減圧するための減圧手段（５０）と、
前記減圧手段（５０）を覆うように設けられ、前記排水管（２０）から排出される前記凝縮水により前記減圧手段（５０）が被水することを防止する被水防止カバー部材（５１）とを備えることを特徴とする請求項２に記載の車両用空調装置。
【請求項４】
前記排水管（２０）は、前記空調ケース（１１）に一体形成されていることを特徴とする請求項１ないし請求項３のいずれか１つに記載の車両用空調装置。
【請求項５】
前記隔壁（２）は、前記車室（１）の床面部を構成するフロアパネル（２）であることを特徴とする請求項１ないし請求項４のいずれか１つに記載の車両用空調装置。
【請求項６】
前記排水管（２０）は、下端（２０ａ）が前記フロアパネル（２）の下面（２ａ）より下方に配置されることを特徴とする請求項５に記載の車両用空調装置。
【請求項７】
前記冷却用熱交換器（１３）は、内部を流通する前記冷媒と外部を流通する前記空気とを熱交換するコア部（３１）と、前記コア部（３１）より下方に設けられ、内部が前記コア部（３１）内と連通する下側タンク部（３３）とを有し、
前記空調ケース（１１）内の前記冷却用熱交換器（１３）より空気流れ上流側に設けられ、前記コア部（３１）と前記下側タンク部（３３）との境界部（３４）から延設されて、前記コア部（３１）に流入する空気の通風域（２２）と、前記下側タンク部（３４）から前記排水管（２０）に流れ込む凝縮水の流水域（２３）とを仕切る仕切壁（２１）を備えることを特徴とする請求項１ないし請求項６のいずれか１つに記載の車両用空調装置。
【請求項８】
前記空調ケース（１１）内に設けられ、前記空調ケース（１１）内を流通する空気を加熱する加熱用熱交換器（１４）と、
前記加熱用熱交換器（１４）に前記空気と熱交換する熱媒を車室外から導出入するための熱媒配管（４０）とを備え、
前記熱媒配管（４０）は、前記隔壁（２）に対応する部位において前記冷媒配管（３０）および前記排水管（２０）に隣接配置されていることを特徴とする請求項１ないし請求項７のいずれか１つに記載の車両用空調装置。
【請求項９】
前記冷却用熱交換器（１３）から導出された冷媒を吸入圧縮する冷媒圧縮機（６０）が、前記空調ケース（１１）より車両後方側に搭載されることを特徴とする請求項１ないし請求項８のいずれか１つに記載の車両用空調装置。
【発明の詳細な説明】
【技術分野】
【０００１】
本発明は、車両用空調装置に関し、特に、空調ケース内の冷却用熱交換器に冷媒を導出入する冷媒配管と冷却用熱交換器で生成した凝縮水の排水管との配置構造に関する。
【背景技術】
【０００２】
従来から、車室内に配置される空調ケース内に、内部を流通する空気を冷却する冷却用熱交換器を備えた車両用空調装置がある。このような車両用空調装置の空調ケースには、空気冷却時に冷却用熱交換器で生成した凝縮水を車室外に排出するための排水管（ドレン管）が、冷却用熱交換器より下方側に設けられている（例えば、特許文献１参照）。
【０００３】
また、冷却用熱交換器には、この熱交換器に冷媒を導出入するための冷媒配管が接続している。冷却用熱交換器から延びる冷媒配管は、一般的に冷却用熱交換器の近傍で車室外に取り出されるように配置され、車室外を取り回されて、車室外に配置された冷凍サイクルを構成する他の機能部品（例えば冷媒圧縮機等）に接続するようになっている。
【０００４】
すなわち、車室内の前方側に配置されることが一般的な空調ケースでは、例えば図７に示すように、空調ケース９１１の下方側部に車室外に延びる排水路を形成する排水管９２０が設けられ、前方側部に冷却用熱交換器９１３から車室外に延びる冷媒配管９３０が配設される。したがって、排水管９２０および冷媒配管９３０の車室外への取り出しは、車室を構成するパネル（車室内と車室外とを隔離する隔壁）９０３に設けられたそれぞれの貫通孔Ａ、Ｂを介して行なわれる。
【特許文献１】特開平１１−３４８５２７号公報
【発明の開示】
【発明が解決しようとする課題】
【０００５】
しかしながら、上記従来の車両用空調装置では、パネル９０３の離れた位置に設けられた貫通孔Ａ、Ｂから冷媒配管９３０および排水管９２０をそれぞれ車室外に取り出すため、両方の貫通孔Ａ、Ｂにおいてパネル９０３と各管９２０、９３０との間をシールする必要がある。したがって、貫通孔の形成位置や各管の配設位置にばらつきがある場合には、シール性の確保が困難であるという問題がある。
【０００６】
本発明は、上記点に鑑みてなされたものであり、冷媒配管および排水管の車室外への取り出し位置におけるシール性を確保することが容易な車両用空調装置を提供することを目的とする。
【課題を解決するための手段】
【０００７】
上記目的を達成するため、請求項１に記載の発明では、
車室（１）内に配置される空調ケース（１１）と、
空調ケース（１１）内に設けられ、空調ケース（１１）内を流通する空気を冷却する冷却用熱交換器（１３）と、
冷却用熱交換器（１３）に空気と熱交換する冷媒を車室外から導出入するための冷媒配管（３０）と、
空調ケース（１１）の冷却用熱交換器（１３）配設部位より下方に設けられ、冷却用熱交換器（１３）で生成した凝縮水を車室外に排出するための排水管（２０）とを備える車両用空調装置において、
冷媒配管（３０）は、冷却用熱交換器（１３）から下方に向かって延設され、車室（１）内と車室外とを隔離する隔壁（２）に対応する部位において排水管（２０）に隣接配置されていることを特徴としている。
【０００８】
これによると、冷媒配管（３０）と排水管（２０）とを隔壁（２）の共通の孔（２００）から車室外に取り出すことができる。したがって、冷媒配管（３０）および排水管（２０）の車室外への取り出し位置におけるシール性を確保することが容易である。
【０００９】
また、請求項２に記載の発明では、冷媒配管（３０）は、隔壁（２）に対応する部位において排水管（２０）の内側に配置されていることを特徴としている。
【００１０】
これによると、冷媒配管（３０）と隔壁（２）との間をシールする必要がない。したがって、冷媒配管（３０）および排水管（２０）の車室外への取り出し位置におけるシール性を確保することが一層容易である。
【００１１】
また、請求項３に記載の発明では、排水管（２０）の内側に設けられ、冷却用熱交換器（１３）に導入される冷媒を減圧するための減圧手段（５０）と、減圧手段（５０）を覆うように設けられ、排水管（２０）から排出される凝縮水により減圧手段（５０）が被水することを防止する被水防止カバー部材（５１）とを備えることを特徴としている。
【００１２】
これによると、減圧手段（５０）が排水管（２０）内を流通する凝縮水により被水し、腐食することを防止することができる。
【００１３】
また、請求項４に記載の発明では、排水管（２０）は、空調ケース（１１）に一体形成されていることを特徴としている。
【００１４】
これによると、空調ケース（１１）に一体形成された排水管（２０）を隔壁（２）の孔（２００）から車室外に取り出すことができる。すなわち、空調ケース（１１）に対し別部材の排水管を車室（１）内において接続する必要がない。したがって、車室内に搭乗した乗員等が接触することにより排水管（２０）が空調ケース（１１）から脱落することを防止することができる。
【００１５】
また、請求項５に記載の発明では、隔壁（２）は、車室（１）の床面部を構成するフロアパネル（２）であることを特徴としている。
【００１６】
これによると、冷媒配管（３０）および排水管（２０）の車室外への取り出し位置におけるフロアパネル（２）との間のシールを、シール部材（２５）を介在させ車両上下方向に圧縮して容易に行なうことができる。
【００１７】
また、請求項６に記載の発明では、排水管（２０）は、下端（２０ａ）がフロアパネル（２）の下面（２ａ）より下方に配置されることを特徴としている。
【００１８】
これによると、排水管（２０）内を流通する凝縮水を、フロアパネル（２）より下方に導き、車室外に確実に排出することができる。
【００１９】
また、請求項７に記載の発明では、
冷却用熱交換器（１３）は、内部を流通する冷媒と外部を流通する空気とを熱交換するコア部（３１）と、コア部（３１）より下方に設けられ、内部がコア部（３１）内と連通する下側タンク部（３３）とを有し、
空調ケース（１１）内の冷却用熱交換器（１３）より空気流れ上流側に設けられ、コア部（３１）と下側タンク部（３３）との境界部（３４）から延設されて、コア部（３１）に流入する空気の通風域（２２）と、下側タンク部（３４）から排水管（２０）に流れ込む凝縮水の流水域（２３）とを仕切る仕切壁（２１）を備えることを特徴としている。
【００２０】
これによると、冷却用熱交換器（１３）のコア部（３１）に流入する風により、排水管（２０）に向かう凝縮水の流れが阻害されることを防止できる。
【００２１】
また、請求項８に記載の発明では、
空調ケース（１１）内に設けられ、空調ケース（１１）内を流通する空気を加熱する加熱用熱交換器（１４）と、
加熱用熱交換器（１４）に空気と熱交換する熱媒を車室外から導出入するための熱媒配管（４０）とを備え、
熱媒配管（４０）は、隔壁（２）に対応する部位において冷媒配管（３０）および排水管（２０）に隣接配置されていることを特徴としている。
【００２２】
これによると、熱媒配管（４０）を冷媒配管（３０）および排水管（２０）とともに隔壁（２）の共通の孔（２００）から車室外に取り出すことができる。したがって、熱媒配管（４０）を含む各管（２０、３０、４０）の車室外への取り出し位置におけるシール性を確保することが容易である。
【００２３】
また、請求項９に記載の発明では、冷却用熱交換器（１３）から導出された冷媒を吸入圧縮する冷媒圧縮機（６０）が、空調ケース（１１）より車両後方側に搭載されることを特徴としている。
【００２４】
これによると、冷却用熱交換器（１３）から下方に向かって延び車室外に取り出された冷媒配管（３０）を、空調ケース（１１）より車両後方側に搭載された冷媒圧縮機（６０）方向に延設できる。したがって、冷媒配管（３０）を冷却用熱交換器（１３）の近傍で車両前方側に取り出した場合より、冷媒配管（３０）を短縮することが可能である。
【００２５】
なお、上記各手段に付した括弧内の符号は、後述する実施形態記載の具体的手段との対応関係を示す一例である。
【発明を実施するための最良の形態】
【００２６】
以下、本発明の実施の形態を図に基づいて説明する。
【００２７】
図１は、本発明を適用した車両用空調装置の車両への概略搭載状態を示す側面図である。また、図２は、車両用空調装置の室内ユニットのうち空調ユニット部分の側面図であり、図３は、空調ユニット部分の正面図（車両後方側から見た図）である。なお、図２および図３では、要部のみ断面図示している。
【００２８】
図１に示すように、本実施形態の車両用空調装置は、エンジンルーム４が車室１のシート１ａの下方に入り込んだ所謂キャブオーバー型車両に搭載されるものであって、室内ユニット部分は車室１内の前方側に配置されている。
【００２９】
車両用空調装置の室内ユニットは、図示しない送風機ユニットと、図２および図３に示す空調ユニット１０との２つの部分に大別され、送風機ユニットは、車室内前部の計器盤の中央部から助手席側にオフセット（右ハンドル車では車両幅方向の左側にオフセット）した位置に配置されている。これに対し、空調ユニット１０は、計器盤の車両幅方向の略中央部に配置されている。
【００３０】
上記送風機ユニットは、その前方部に車室内空気と車室外空気とを切替導入する内外気切替箱を備え、この内外気切替箱の後方には送風機が配置されており、この送風機は遠心式多翼ファンからなる送風ファンとファン駆動用モータとを有している。
【００３１】
一方、空調ユニット１０は空気通路を形成する樹脂製（本例ではポリプロピレン樹脂製）の空調ケース１１を有する。この空調ケース１１は全体形状が概略箱状に成形され、また、以下説明する機器等を収納するために複数のケース体に分割されており、それらの分割ケース体を一体に結合して構成される。
【００３２】
図３に示すように、空調ケース１１のうち、送風機ユニットと対向する側面の下部には空気入口部１２が設けられており、この空気入口部１２から送風機ユニットの送風空気が空調ケース１１内において蒸発器１３の下方空間に導入される。この蒸発器１３は冷凍サイクルの低圧冷媒が蒸発して送風空気から吸熱することにより送風空気を冷却する冷却用熱交換器である。
【００３３】
蒸発器１３は、空調ケース１１内において車両後方側に大きく傾斜して設置されているので、空気入口部１２からの流入空気は蒸発器１３の熱交換部（後述するコア部３１）を下方から上方へと通過する。
【００３４】
そして、空調ケース１１内において、蒸発器１３の空気下流側（図中上方側）にヒータコア１４が傾斜した状態にして設置されている。このヒータコア１４は、エンジンルーム４に搭載された図示しない車両エンジンからの温水（エンジン冷却水、本実施形態における熱媒）をヒータパイプ（熱媒配管）４０を介して導出入し、熱交換により送風空気を加熱する加熱用熱交換器である。
【００３５】
空調ケース１１の上面には、車室内の上方側（乗員頭部側）に向けて空気を吹き出すフェイス吹出口（図示せず）に連通するフェイス吹出開口部１５と、車両前面窓ガラス内面に向けて空気を吹き出すデフロスタ吹出口（図示せず）に連通するデフロスタ吹出開口部１６とが形成されている。また、空調ケース１１の側面には、車室内の乗員足元に向けて空気を吹き出すフット吹出口（図示せず）に連通するフット吹出開口部１７が形成されている。
【００３６】
空調ケース１１内には、図示しない複数のドア手段が設けられており、これらの作動により、蒸発器１３を通過した空気のうち所望量をヒータコア１４で加熱した後、吹き出しモードに応じて上記吹き出し開口部１５、１６、１７のいずれか１つもしくは複数から空調空気を吹き出すようになっている。
【００３７】
次に、本実施形態における要部である空調ユニット１０の蒸発器１３配設部位より下方部の構成について説明する。図４は、図２に示す空調ユニット１０のＡ部拡大図である。
【００３８】
図１に示すように、車室１は床面部を構成するフロアパネル２および前面部を構成するダッシュパネル３等の隔壁により車室外に対して隔離されている。そして、空調ユニット１０はフロアパネル２上に載置され固定されている。具体的には、図３に示すように、フロアパネル２に形成されたトンネル構造部の天井部２Ａ上に載置されている。
【００３９】
図４に示すように、空調ケース１１の最下部には、蒸発器１３において送風空気を冷却するときに生成する凝縮水を排出するための排水管２０が、空調ケース１１に対し一体成形されている。
【００４０】
この排水管２０は、天井部２Ａに形成された開口（孔）２００に挿設され、排水管２０の下端２０ａは、天井部２Ａの下面２ａより下方に配置されている。すなわち、排水管２０はフロアパネル２より下方に突出している。
【００４１】
排水管２０の外周面には周状に張り出したフランジ部２４が形成されている。そして、空調ユニット１０を天井部２Ａ上に載置するときに、このフランジ部２４下面と天井部２Ａ上面側の開口２００周縁部との間に発泡樹脂体からなるシールパッキン２５が介在され、上下方向に圧縮されることによって、フロアパネル２と排水管２０との間をシールしている。
【００４２】
一方、蒸発器１３は、冷媒と送風空気との熱交換を行なうためのコア部３１と、コア部３１の上下両端に設けられコア部３１内と連通する上側タンク部３２および下側タンク部３３とにより構成されている。そして、蒸発器１３の下方側には、コア部３１と下側タンク部３３との境界部３４から排水管２０方向に向かって延びる排水ガイド板２１が設けられている。
【００４３】
この排水ガイド板２１は、空調ケース１１内の蒸発器１３と排水管２０との間の空間を２つに仕切る仕切壁であって、上記空間を上方側の通風域２２と下方側の流水域２３とに仕切っている。通風域２２は、蒸発器１３のコア部３１に流入する送風空気を流通する領域であり、流水域２３は、蒸発器１３のコア部３１で生成した凝縮水が、下側タンク部３３に到達した後、排水管２０に向かって流れ落ちる領域である。
【００４４】
図５は、排水ガイド板２１の図４におけるＢ矢視図である。図５に示すように、排水ガイド板２１は、蒸発器１３の境界部３４から斜めに延びる傾斜部２１ａと、傾斜部２１ａの下方端部から垂下する垂下部２１ｂとにより形成されている。傾斜部２１ａには、傾斜方向に延びるスリット２１１が略中央部において傾斜方向全域に形成されている。また、垂下部２１ｂの下端部には、流水域２３を流れ落ちた凝縮水が排水管２０内に流入する流入口２１２が形成されている。
【００４５】
図４に示すように、蒸発器１３の下側タンク部３３には、一対の冷媒配管３０が接続しており、冷媒配管３０は、冷媒を蒸発器１３に導入するための導入管３０Ａと、冷媒を蒸発器１３から導出するための導出管３０Ｂとからなる。導入管３０Ａは、図１に示すエンジンルーム４内のコンプレッサ（冷媒圧縮機）６０により圧縮吐出された後、凝縮器７０で凝縮された液状冷媒が流通する配管であり、導出管３０Ｂは、蒸発器１３により蒸発したガス状冷媒がコンプレッサ６０の吸入側に還流する配管である。
【００４６】
図４に示すように、冷媒配管３０（両配管３０Ａ、３０Ｂ）は、蒸発器１３から通風域２２を下方に向かって延び、排水管２０内を通って車室外に取り出されている。すなわち、冷媒配管３０は、排水管２０の内側に配置されてフロアパネル２の開口２００を挿通している。
【００４７】
冷媒配管３０の排水管２０内に配設された部位には、冷媒の減圧手段である膨張弁５０が設けられている。この膨張弁５０は、導出管３０Ｂを流通する冷媒の温度に応じて導入管３０Ａを流通する冷媒を減圧膨張する周知の感温部内蔵型膨張弁である。
【００４８】
この膨張弁５０の周囲には、膨張弁５０の上面側と側面側を覆うように有天筒状体をなす樹脂性（本例ではポリプロピレン製）の被水防止カバー５１が設けられ、カバー５１の天井部を貫通するように冷媒配管３０が配置されている。この被水防止カバー５１により、膨張弁５０が凝縮水を被水しないようになっている。
【００４９】
また、図４に示すように、被水防止カバー５１の側面部と、空調ケース１１および排水ガイド板２１の垂下部２１ｂとの間には、発泡樹脂体からなるシールパッキン５３が設けられ、通風域２２を流れる送風空気が排水管２０内に漏れないようになっている。
【００５０】
また、排水管２０の下端２０ａには内方に向かって突出した係止突起部２６が形成されている。一方、図６にも示すように、被水防止カバー５１の下端部には係止突起部２６に対応した係止部５２が形成されている。そして、係止突起部２６と係止部５２とを螺着して被水防止カバー５１を空調ケース１１に対し固定するようになっている。なお、図６は図４におけるＣ矢視図である。ただし、排水管２０側の係止突起部２６の図示は省略している。
【００５１】
次に、上記構成に基づき車両用空調装置の作動について簡単に説明する。
【００５２】
コンプレッサ６０が作動すると、コンプレッサ６０で圧縮され凝縮器７０で凝縮された液状冷媒が膨張弁５０により減圧され導入管３０Ａを介して蒸発器１３に導入される。蒸発器１３に導入された液状冷媒はコア部３１において通風域２２から流入する送風空気と熱交換し、送風空気を冷却する。このとき、送風空気に含まれる水蒸気がコア部３１において凝縮され、凝縮水となる。
【００５３】
コア部３１において生成した凝縮水は、コア部３１に沿って流れ下側タンク部３３から落下して排水ガイド板２１より下方の流水域２３を流れ落ちる。コア部３１から通風域２２に落下した凝縮水があったとしても、排水ガイド板２１のスリット２１１を介して流水域２３に流入する。
【００５４】
したがって、シールパッキン５３上方部位に凝縮水は溜まり難く、シールパッキン５３を劣化することがない。また、シールパッキン５３の上方に到達した凝縮水があったとしても、シールパッキン５３は発泡樹脂により形成されているので、徐々に排水管２０内に排出され、シールパッキン５３上方部位に滞留することはない。
【００５５】
流水域２３を流れ落ちた凝縮水は、流入口２１２から排水管２０内に流れ込み、排水管２０を介して車室外に排出される。排水管２０はフロアパネル２の天井部２Ａより下方に突出しているとともに、排水管２０とフロアパネル２との間はシールパッキン２５によりシールされているので、凝縮水は車室内に浸入することなく確実に車室外に排出される。
【００５６】
蒸発器１３のコア部３１において送風空気と熱交換して蒸発した冷媒は、導出管３０Ｂを介してコンプレッサ６０の吸入側に戻っていく。
【００５７】
上述の構成および作動によれば、冷媒配管３０は、空調ケース１１内において蒸発器１３から下方に向かって延設され、フロアパネル２の開口２００から車室外に取り出される部位において排水管２０内に配置されている。換言すれば、冷媒配管３０は車室外に取り出される部位において排水管２０の内側に隣接配置されている。
【００５８】
したがって、冷媒配管３０と排水管２０とをフロアパネル２の共通の開口２００から車室外に取り出すことができ、排水管２０とフロアパネル２との間に設けたシールパッキン２５により、この取り出し位置において車室内外を隔離するようにシールをすることができる。両配管２０、３０の取り出し位置が離れていないので、安定したシール性を確保することが容易である。
【００５９】
また、空調ユニット１０をフロアパネル２上に搭載するときに、空調ユニット１０の重量を利用して車両上下方向にシールパッキン２５を圧縮できるので、安定したシール構造の形成を容易に行なうことができる。
【００６０】
さらに、排水管２０は、空調ケース１１に一体成形されており、この一体成形された排水管２０をフロアパネル２の開口２００から車室外に取り出すことができる。すなわち、空調ケース１１に対し別部材の排水ホース等を取り付け、この排水ホース等を車室外に取り出す必要がない。したがって、車室内に搭乗した乗員等が誤って足で踏みつけたりして、排水ホース等を空調ケース１１から脱落させることを防止することができる。
【００６１】
また、膨張弁５０は、排水管２０内に配設され、通風域２２内に突出していない。したがって、通風域２２の通風抵抗を増大させることがない。また、排水管２０内の膨張弁５０は被水防止カバー５１により覆われている。したがって、凝縮水が膨張弁５０に付着し、膨張弁５０を腐食させたり、膨張弁５０感温部の感温精度を低下させたりすることを防止できる。
【００６２】
また、蒸発器１３より空気流れ上流側には、コア部３１と下側タンク部３３との境界部３４から排水ガイド板２１が延設されて、コア部３１に流入する空気の通風域２２と、下側タンク部３４から排水管２０に流れ込む凝縮水の流水域２３とを仕切っている。したがって、蒸発器１３のコア部３１に流入する送風空気により、排水管２０に向かう凝縮水が押し戻されて流れが乱されることを防止できる。
【００６３】
また、本実施形態のように、エンジンルーム４が空調ユニット１０搭載位置よりも車両後方側にあり、このエンジンルーム４内にコンプレッサ６０や凝縮器７０が搭載される場合には、図１と図７とを比較して明らかなように、コンプレッサ６０や凝縮器７０に接続される冷媒配管３０をフロアパネル２の開口２００から取り出すことにより、冷媒配管３０を短縮することが可能である。
【００６４】
（他の実施形態）
上記一実施形態では、冷媒配管３０は、空調ケース１１内において蒸発器１３から下方に向かって延設され、フロアパネル２の開口２００から車室外に取り出される部位において排水管２０内に配置されていた。換言すれば、冷媒配管３０は車室外に取り出される部位において排水管２０の内側に隣接配置されていたが、冷媒配管は車室外に取り出される部位において排水管の外側に隣接配置されるものであってもよい。
【００６５】
これによっても、冷媒配管と排水管とをフロアパネルの共通の貫通孔から車室外に取り出すことができ、この取り出し位置において車室内外を隔離する安定したシール性を確保することが容易である。
【００６６】
また、上記一実施形態では、冷媒配管３０と排水管２０とをフロアパネル２の共通の開口２００から車室外に取り出していたが、車室内と車室外とを隔離する隔壁の共通の孔から取り出すものであればこれに限定されるものではない。例えば、ダッシュパネルの共通の貫通孔から冷媒配管と排水管とを取り出すものであってもよい。
【００６７】
また、上記一実施形態では、フロアパネル２の開口２００から排水管２０とこれに隣接する冷媒配管３０とを車室外に取り出していたが、ヒータコア１４から延びるヒータパイプ４０もこれらに隣接させて、共通の開口から車室外に取り出すものであってもよい。これによれば、ヒータパイプ４０を含む各配管２０、３０、４０の車室外への取り出し位置が離れていないので、取り出し位置において一層安定したシール性を容易に確保することができる。
【図面の簡単な説明】
【００６８】
【図１】本発明を適用した一実施形態における車両用空調装置の車両への概略搭載状態を示す側面図である。
【図２】車両用空調装置の室内ユニットのうち空調ユニット部分の側面図である。
【図３】車両用空調装置の室内ユニットのうち空調ユニット部分の正面図である。
【図４】図２に示す空調ユニット１０のＡ部拡大図である。
【図５】排水ガイド板２１の図４におけるＢ矢視図である。
【図６】図４におけるＣ矢視図である。
【図７】従来の車両用空調装置の車両への概略搭載状態の一例を示す側面図である。
【符号の説明】
【００６９】
１  車室
２  フロアパネル（隔壁）
２ａ  フロアパネルの下面
１０  空調ユニット
１１  空調ケース
１３  蒸発器（冷却用熱交換器）
１４  ヒータコア（加熱用熱交換器）
２０  排水管（ドレン管）
２０ａ  排水管の下端
２１  排水ガイド板（仕切壁）
２２  通風域
２３  流水域
３０  冷媒配管
３１  コア部
３３  下側タンク部
３４  境界部
４０  ヒータパイプ（熱媒配管）
５０  膨張弁（減圧手段）
５１  被水防止カバー（被水防止カバー部材）
６０  コンプレッサ（冷媒圧縮機）
７０  凝縮器
２００  開口
【図１】
2006027314.tif 000003
【図２】
2006027314.tif 000004
【図３】
2006027314.tif 000005
【図４】
2006027314.tif 000006
【図５】
2006027314.tif 000007
【図６】
2006027314.tif 000008
【図７】
2006027314.tif 000009